(57)【特許請求の範囲】
【請求項１】
ステンレス製の棒材を組み立てて作った箱形の枠体と、その枠体の開口部よりやや小さく作られた相似形のネット部材を有し、そのネット部材はステンレス製の棒材によって作られたループ状の枠材と、その枠材に周縁部を巻き付けて固定した合成樹脂製のネットで作られ、前記ネット部材はループ状の枠材へ巻き付けられたネットの折り返された縁部が外側になる形で、合成樹脂製のバンドによって前記箱形の枠体へ縛着してなる食品コンベアの網カバー。
【発明の詳細な説明】
【０００１】
【産業上の利用分野】
この発明は、煮干しの製造に使用するコンベアとして好適な食品コンベアに関するもので、特に、被搬送物が食品コンベアから工場の床へ飛散するのを防止するために設備される網カバーに関する。
【０００２】
【従来の技術】
従来、煮干しを製造するのに使用される食品コンベアは、茹で上がったシラス魚の乾燥や夾雑物の除去を行うための食品コンベア上へ投入する作業や、逆に食品コンベア上を送られてくるシラス魚を他の食品コンベアへ移送する際に、空気で吹き飛ばし、あるいは回転円板の上から他のコンベアベルト上へ撒布して移動させる、いわゆる散らし機が用いられている。
【０００３】
そして、散らし機を使用する際はシラス魚が床の上へ飛び散らないよう、コンベアベルトの外方に合成樹脂のネットを用いた網カバーを設けることが行われている。また、そこで使用される網カバーのネットは端部をステンレス材で作られたループ状の枠にネットの縁を巻き付け、折り返された部分を加熱溶融して連結している（例えば、実開平７−１８５９３号）。
【０００４】
このように枠にネットを巻きつけて固定する方法はネットにしわがよらず、平坦にネットを張ることができる点ですぐれているが、他方、このような取り付け方法では１本の枠に１枚のネットを巻き付けると、それ以上のネットを巻き付けることができないため、ループ状の枠にネットを巻き付ける方法で作ることのできるネットは、平面的な形のもの或いはネット折曲的な形のものに限られていた。
【０００５】
【発明が解決しようとする課題】
そこで、箱形をした枠にネットを固定するときには、図４で示すように、枠にネットを紐で巻き付けて固定しているが、このような構造ではコンベアの外観が劣るほか、隣接するネット間の隙間が大きくなり、小魚が挟まって清掃が容易でなかった。
【０００６】
【課題を解決するための手段】
上記した課題は、ステンレス製の棒材を組み立てて作った箱形の枠体と、その枠体の開口部よりやや小さく作られた相似形のネット部材を有し、そのネット部材はステンレス製の棒材によって作られたループ状の枠材と、その枠材に周縁部を巻き付けて固定した合成樹脂製のネットで作られ、前記ネット部材はループ状の枠材へ巻き付けられたネットの折り返された縁部が外側になる形で、合成樹脂製のバンドによって前記箱形の枠体へ縛着することによって解決される。
【０００７】
【作用】
箱形の枠体の開口部が、バンドによって縛着された相似形のネット部材によって閉じられ、それによって、合成樹脂製のネットによる箱形をした食品コンベアの網カバーが形成される。
合成樹脂製のネットは枠材へ巻き付けられた縁部が外側に向けて縛着されており、飛んでくる小魚を受ける箱の内面には、ネットによって凹凸のない平滑な面のみが形成される。
【０００８】
【発明の実施の態様】
図１中、１０は本願発明の実施である食品コンベアであり、その食品コンベア１０には食品である煮干しの中から、夾雑物を除去するための公知の風選トンネル１１が付設されている。食品コンベア１０は台枠１２の上に種々のローラ１３，１３を支持したフレームを有する。１５は前記ローラ１３に巻回されたコンベアベルトであり、コンベアベルト１５は合成樹脂のネットで作られている。
【０００９】
２０は食品コンベア１０の終端部に設けられた荷卸し手段である。荷卸し手段２０は前記コンベアベルト１５の裏面に設けられた空気ノズル２１と、コンベアベルト１５の進行方向先方に設けられた網ネット２２を有する。空気ノズル２１はコンベアベルト１５の裏面へ向けられており、そこから噴出される空気はネットで作られたコンベアベルト１５を通り抜けて表面に付着している被運搬物であるシラス魚を吹き飛ばす。網ネット２２は細長いステンレス棒、通常直径８ミリメートルの多数を溶接して組み立てた箱状の枠体２３と、その枠体２３の空間を覆って取り付けられるネット部材２４によって構成されており、前記空気の圧力でコンベアベルト１５上から吹き飛ばされた小魚を受けて下方の受け箱２６の中へ落下させる。ネット部材２４は一般にコンベアベルト１５の合成樹脂のネットと同じ材質、同じ網目の大きさのものを用い、ポリエステル系の合成樹脂が多く使われる。
【００１０】
箱状の枠体２３はループ状、すなわち三角形、四角形などの形態をもつ複数の閉じた空間を有し、その空間の形状に対応する種々の形状のネット部材２４がその空間を埋める形で取り付けられる。
【００１１】
ネット部材２４は前記箱状の枠体２３の空間と相似形に、かつ、それよりやや小さく作られたループ状の枠（通常直径４ミリメートルのステンレス棒を溶接している）２４ａと、その枠２４ａの空間を閉じるためのネット２４ｂからなる。ここで枠２４ａは枠体２３との間隙が大きくならないよう、それらにネット２４ｂを取り付けた状態で図２で示すように、枠体２３の外面に保持される大きさにしてある。ここでは解りやすいように２面だけ示したが、この形の場合同様な５面がある。
【００１２】
ネット２４ｂは枠２４ａよりやや大きく切断された合成樹脂製のロールネットから切り出されたもので、そのネット２４ｂを枠２４ａの側面へ当て、そこからはみ出した部分で枠２４ａを包む形で折り返し、縫合線２７に沿って縫合し結合してある。２８は折返し部であり、図３で示すように、一般に若干外側へ巻き上がって隙間ができる傾向がある。これを図４で示すようにバンド２５をきつく締め上げると枠体２３と密着すると同時に網ネット２２は張られて取り付く。このときバンド２５の端は切り落とす。
食品には網ネット２２のほつれによる少量の破片が混入することも許されないので網ネット２２端部を内側に巻きこんで２列に縫合することも行われている。
【００１３】
このようにして作られるネット部材２４をやや大きく作られた箱状の枠体２３に対して外面から押し付けた形で空間を覆い、合成樹脂製の市販のバンド２５によって縛着すれば、箱状の枠体２３とネット部材２４との間に隙間のない網ネット２２が出来上がる。なお、ネット部材２４を箱状の枠体２３へ嵌め込むとき、前記ネット２４ｂの折返し部を外側にして取り付ければ、縫合部にできる折返し部２８が外側となるので、網ネット２２の小魚を受けるべき内面には、凹凸のない平滑な面が形成される。
【００１４】
よって、コンベアベルト１５上から吹き飛ばされてくるシラス魚は、網ネット２２の内面に衝突すると、それに付着することなく落下するから、魚体の損傷が少ない上に、網ネット２２の掃除が容易になる。
【００１５】
【発明の効果】
本願各請求項に記載した発明によれば、網ネットは箱状をした枠体の各面に、合成樹脂製のネットを巻きつけて取り付けることによって、内面にしわや凹凸のない平滑な面を持つ箱状の網ネットが得ることができる効果がある。
【図面の簡単な説明】
【図１】本願発明の一実施形態である食品コンベアの要部の側面図である。
【図２】図１で示す装置の要部を取り出して示す概略外観図である。
【図３】図２中のＩＩＩ−ＩＩＩ断面図である。
【図４】ネットの縫合部を示す部分斜視図である。
【符号の説明】
１０・・・・食品コンベア
１１・・・・風選トンネル
１２・・・・台枠
１３・・・・ローラ
１５・・・・コンベアベルト
２０・・・・荷卸し手段
２１・・・・空気ノズル
２２・・・・網ネット
２３・・・・枠体
２４・・・・ネット部材
２５・・・・バンド
２６・・・・受け箱
２７・・・・縫合線
２８・・・・折返し部
【図１】
0004338321.tif 000002
【図２】
0004338321.tif 000003
【図３】
0004338321.tif 000004
【図４】
0004338321.tif 000005